【手続補正書】
【提出日】平成16年7月6日(2004.7.6)
【手続補正１】
【補正対象書類名】明細書
【補正対象項目名】特許請求の範囲
【補正方法】変更
【補正の内容】
【特許請求の範囲】
【請求項１】
検索結果のデータを複数、記憶しているデータ記憶手段と、
記憶されている前記データをグループに分類する分類手段と、
前記分類手段が分類したグループ毎に、そのグループを代表する代表語を作  成する代表語作成手段と、
前記代表語作成手段が作成した代表語の一覧を表示する表示手段と、
を備えることを特徴とするデータ検索支援装置。
【請求項２】
前記分類手段は、階層的な関係を有する階層データを複数記憶している階層データ記憶手段と、
前記データ記憶手段に記憶されたデータを、前記階層データ記憶手段に記憶された階層データに基づいて、分類する階層データ分類手段と
を含むことを特徴とする請求項１記載のデータ検索支援装置。
【請求項３】
前記階層データ記憶手段は、単語の上位概念と下位概念との階層関係を示す辞書であるシソーラスを記憶しており、
前記階層データ分類手段は、
前記シソーラスを検索し、前記データ記憶手段が記憶しているデータに含まれる単語の上位概念の単語を、データ毎に抽出する上位概念抽出手段と、
抽出された上位概念の単語が同じデータを１グループとして、前記データ記憶手段に記憶されているデータをグループに分類するシソーラス分類手段と
を含むことを特徴とする請求項２記載のデータ検索支援装置。
【請求項４】
前記上位概念抽出手段は、
表示可能な項目数を示す表示能力を記憶している表示能力記憶手段と、
前記表示能力記憶手段より前記表示能力を読み出す表示能力読出手段と、
前記シソーラス分類手段により分類されたグループ数が前記読み出した表示能力を超えるかどうかを判定する再分類判定手段と、
前記再分類判定手段により前記分類されたグループの数が前記表示能力を超えたと判定された場合、前記上位概念抽出手段により前記抽出された上位概念の単語のさらに一つ上位の概念の単語を抽出し、前記シソーラス分類手段により前記抽出されたさらに一つ上位の概念の単語を基にした前記データのグループへ分類するよう制御する再分類制御手段と
を含むことを特徴とする請求項３記載のデータ検索支援装置。
【請求項５】
前記上位概念抽出手段は、
シソーラスの階層の指定を受け付ける階層指定受付手段と、
前記階層指定受付手段により受け付けられたシソーラスの階層を基に、前記データに含まれる単語の上位概念の単語を、前記シソーラスから抽出する指定上位概念抽出手段と
を含むことを特徴とする請求項３記載のデータ検索支援装置。
【請求項６】
前記指定上位概念抽出手段は、前記階層指定受付手段により指定を受け付けられたシソーラスの階層に含まれる、前記上位概念の単語を抽出する
ことを特徴とする請求項５記載のデータ検索支援装置。
【請求項７】
前記階層データ分類手段は、さらに
前記階層指定受付手段により指定を受け付けられたシソーラスの階層が、前記データに含まれる単語より下位の階層である場合に、前記指定を受け付けられた階層に含まれる前記単語の下位の概念の単語を前記シソーラスから抽出する下位概念抽出手段を含み、
前記シソーラス分類手段は、抽出された上位概念又は下位概念の単語が  同じデータを１グループとして分類する
ことを特徴とする請求項５記載のデータ検索支援装置。
【請求項８】
前記階層データ分類手段は、
表示可能な項目数を示す表示能力を記憶している表示能力記憶手段と、
前記表示能力記憶手段より前記表示能力を読み出す表示能力読出手段と、
前記シソーラス分類手段により分類されたグループの数が前記読み出した表示能力を超えるかどうかを判定する第１再分類判定手段と、
前記シソーラス分類手段により分類されたグループの数が、一定の値以下であるかどうかを判定する第２再分類判定手段と、
前記階層指定受付手段により受け付けられたシソーラスの階層を一つ上に又は一つ下に変更する指定階層変更手段と、
前記第１再分類判定手段により前記グループの数が前記表示能力を超えたと判定された場合、前記指定階層変更手段によるシソーラスの階層の一つ上への変更と、前記上位概念抽出手段による上位概念の単語の抽出と、前記シソーラス分類手段による前記データ記憶手段に記憶されているデータのグループへの分類とを制御し、前記第２再分類判定手段により前記グループの数が、一定の値以下であると判定された場合、前記指定階層変更手段によるシソーラスの階層の一つ下への変更と、前記下位概念抽出手段による下位概念の単語の抽出と、前記シソーラス分類手段による前記データ記憶手段に記憶されているデータのグループへの分類とを制御する再分類制御手段と
を含むことを特徴とする請求項７記載のデータ検索支援装置。
【請求項９】
前記データ記憶手段は、データの種類を示す１又は複数の属性と、それぞれの属性に属するデータである属性値とから構成されるデータを記憶しており、
前記分類手段は、１又は複数の属性の指定を受け付ける属性指定受付手段を含み、
前記上位概念抽出手段は、前記シソーラスを検索し、指定された１又は複数の属性に属する属性値の上位概念の単語を、前記シソーラスから抽出する
ことを特徴とする請求項３記載のデータ検索支援装置。
【請求項１０】
前記代表語作成手段は、前記シソーラス分類手段により分類されたグループごとに代表語を作成する
ことを特徴とする請求項３記載のデータ検索支援装置。
【請求項１１】
前記階層データ記憶手段は、階層的な関係を有する複数の表題から構成される目次を記憶しており、
前記データ記憶手段は、前記目次に関連したデータを記憶しており、
前記階層データ分類手段は、
前記データ記憶手段に記憶されているデータを選択するデータ選択手段と、
前記選択されたデータに関連する前記目次の表題を抽出する目次抽出手段と、
前記抽出された表題が同じデータを１つのグループとして、前記データ選択手段により選択されたデータをグループに分類する目次分類手段と、
前記目次を検索し、前記データ選択手段により選択されたデータに関連する表題の上位の表題を、抽出する上位表題抽出手段と、
表示可能な項目数を示す表示能力を記憶している表示能力記憶手段と、
前記表示能力記憶手段より前記表示能力を読み出す表示能力読出手段と、
前記目次分類手段により分類されたグループの数が前記読み出した表示能力を超えるかどうかを判定する再分類判定手段と、
前記再分類判定手段により、前記分類されたグループの数が前記表示能力を越えたと判定された場合、前記上位表題抽出手段により前記抽出された表題のさらに一つ上位の表題を抽出し、前記目次分類手段により前記抽出されたさらに一つ上位の表題を基にして前記データをグループへ分類するよう制御する再分類制御手段とを含み、
前記代表語作成手段は、前記目次分類手段が作成したグループ毎に、グループに対応する表題を用いて代表語を作成する
ことを特徴とする請求項２記載のデータ検索支援装置。
【請求項１２】
前記階層データ記憶手段は、階層的な関係を有する複数の地名から構成される地名辞典を記憶しており、
前記データ記憶手段は、地名を含むデータを記憶しており、
前記階層データ分類手段は、
前記データ記憶手段に記憶されているデータを選択するデータ選択手段と、
前記選択されたデータに含まれる単語と前記地名辞典の地名を比較し、一致した地名があれば、前記地名辞典の地名を抽出する地名抽出手段と、
前記抽出された地名が同じデータを１つのグループとして、前記データ記憶手段に記憶されているデータをグループに分類する地名分類手段と、
前記地名辞典を検索し、前記抽出された地名の上位の地名を、抽出する上位地名抽出手段と、
表示可能な項目数を示す表示能力を記憶している表示能力記憶手段と、
前記表示能力記憶手段より前記表示能力を読み出す表示能力読出手段と、
前記地名分類手段により分類されたグループの数が前記読み出した表示能力を超えるかどうかを判定する再分類判定手段と、
前記再分類判定手段により、前記分類されたグループの数が前記表示能力を越えたと判定された場合、前記上位地名抽出手段により前記抽出された地名のさらに一つ上位の地名を抽出し、前記抽出されたさらに一つ上位の地名を基にして前記データをグループへ分類するよう制御する再分類制御手段とを含み、
前記代表語作成手段は、前記地名分類手段が作成したグループ毎に、グループに対応する地名を用いて代表語を作成する
ことを特徴とする請求項２記載のデータ検索支援装置。